【手続補正書】
【提出日】平成17年5月26日(2005.5.26)
【手続補正１】
【補正対象書類名】明細書
【補正対象項目名】特許請求の範囲
【補正方法】変更
【補正の内容】
【特許請求の範囲】
【請求項１】
信号測定を呼び出すための図形システムであって、測定機能を表現する記述アイコンを信号測定システムのグラフィカルユーザインタフェース上に表示波形に隣接して表示し、ユーザが前記アイコンを選択して前記グラフィカルユーザインタフェース上をドラッグし、該アイコンを表示波形の近くで開放することにより前記測定機能を呼び出す、図形システム。
【請求項２】
波形測定機能がユーザによってグラフィカルユーザインタフェースの波形表示領域に表示された表示波形に関連付けられたときに、該波形測定機能を自動的に実施する測定呼出しシステムであって、
各測定アイコンが波形測定機能に対応する１以上の測定アイコンを前記グラフィカルユーザインタフェース上に表示するとともに、該１以上の測定アイコンのうちのユーザによって選択された測定アイコンを識別する測定ツールバーマネージャと、
ユーザが前記選択されたアイコンをソース波形に図形的に関連付け、前記ソース波形上の測定呼出し点を決定出来るように構成された波形識別器であって、ユーザが前記波形表示領域上で前記選択されたアイコンを前記ソース波形に近接する位置までドラッグさせるための手段を含む波形識別器と、
前記選択された測定と前記ソース波形との間の前記関連付けが有効な関連付けであある場合、前記ソース波形の測定範囲について前記選択された測定機能を呼び出すように構成された測定コントローラと、
からなる測定呼出しシステム。
【請求項３】
前記測定ツールバーマネージャは、
１以上の測定機能のうちのどの測定機能が前記１以上の測定アイコンのそれぞれに対応しているかを判定するための手段と、
前記グラフィカルユーザインタフェース上の前記１以上の測定アイコンのうちのどの測定アイコンにカーソルが存在するかを判定するための手段と、
を含む、請求項２に記載の測定呼出しシステム。
【請求項４】
前記測定ツールバーマネージャは、前記カーソルが存在している前記測定アイコンに対応する測定機能を識別するテキストメッセージを前記グラフィカルユーザインタフェース上に表示するための手段をさらに含む、請求項３に記載の測定呼出しシステム。
【請求項５】
前記測定ツールバーマネージャは、前記選択された波形に対して実施すべき前記選択されたアイコンを有効化する手段をさらに含み、前記選択された波形は、図形的手段によって識別される、請求項４に記載の測定呼出しシステム。
【請求項６】
前記１以上の測定アイコンは、前記グラフィカルユーザインタフェースの前記波形表示領域に隣接して配置された測定ツールバー領域の中に配置される、請求項２に記載の測定呼出しシステム。
【請求項７】
前記測定アイコンはそれぞれ、前記波形測定機能に対応する絵による説明を有する、請求項２に記載の測定呼出しシステム。
【請求項８】
前記波形識別器は、前記選択された測定アイコンが前記波形表示領域上でドラッグされているときに該選択された測定アイコンの最も近くにある表示要素を判定する手段をさらに含む、請求項２に記載の測定呼出しシステム。
【請求項９】
前記波形識別器は、前記最も近くにある表示要素に対して測定を実施することが出来るか否かを示す図形による指示を表示する手段をさらに含む、請求項８に記載の測定呼出しシステム。
【請求項１０】
前記図形による指示は、前記選択された測定アイコンを変化させることを含む、請求項９に記載の測定呼出しシステム。
【請求項１１】
前記図形による指示は、テキスト情報を前記グラフィカルユーザインタフェース上に表示することを含む、請求項９に記載の測定呼出しシステム。
【請求項１２】
前記測定コントローラは、前記選択された測定機能と前記ソース波形との間の前記関連付けが有効な関連付けであるか否かを判定する手段をさらに含む、請求項２に記載の測定呼出しシステム。
【請求項１３】
前記測定コントローラは、前記選択された波形上の前記測定呼出点に関する前記測定範囲を規定する波形特性を判定する手段を含む、請求項２に記載の測定呼出しシステム。
【請求項１４】
前記測定範囲は、表示されたソース波形全体、および表示波形の周期を含む、請求項１３に記載の測定呼出しシステム。
【請求項１５】
前記測定コントローラは、前記選択された測定を実施するためにさらに情報が必要であるか否かを判定し、該情報を図形的に要求する手段をさらに含む、請求項１３に記載の測定呼出しシステム。
【請求項１６】
前記グラフィカルユーザインタフェースの所定の領域に測定結果が表示される、請求項２に記載の測定呼出しシステム。
【請求項１７】
前記所定の領域は、前記波形表示領域のうちの透過領域である、請求項１６に記載の測定呼出しシステム。
【請求項１８】
前記測定呼出し点および前記測定結果に記号で注釈が付記され、前記選択された測定、前記測定呼出し点、および前記測定結果が図形的に関連付けられる、請求項１６に記載の測定呼出しシステム。
【請求項１９】
グラフィカルユーザインタフェースを有する信号測定システムにおいて波形測定を呼び出すための方法であって、
（ａ）前記グラフィカルユーザインタフェースの測定ツールバー領域内のピクセル位置にカーソルが存在することを判定するステップと、
（ｂ）各測定が前記測定ツールバー領域に存在する測定アイコンに関連付けられた１以上の測定のうちのどの測定がユーザによって選択されたかを判定するステップと、
（ｃ）ユーザが選択された前記測定アイコンを前記グラフィカルユーザインタフェース上に表示された選択された波形に近接する位置に移動出来るようにするステップと、
（ｄ）前記選択されたソース波形の測定範囲に対して前記選択された測定を実施するステップと、
（ｅ）前記測定の結果を前記グラフィカルユーザインタフェース上に表示するステップと、
からなる方法。
【請求項２０】
信号測定システムのグラフィカルユーザインタフェースにおいて波形測定を呼び出す方法であって、
（ａ）各図形ボタンが対応する測定を絵で表したビットマップを有する一連の図形ボタンからなる測定ツールバーを前記グラフィカルユーザインタフェース上に表示するステップと、
（ｂ）適当な図形ボタンの上にカーソルを置くステップと、
（ｃ）前記マウスボタンを押下するステップと、
（ｄ）前記測定アイコンをソース波形の特定領域の近くまでドラッグするステップと、
（ｅ）前記マウスボタンを開放し、前記測定アイコンを前記選択されたソース波形上に落とすステップと、
（ｆ）前記選択されたソース波形に対して前記測定を実施するステップと、
（ｇ）前記測定の結果を前記グラフィカルユーザインタフェース上に表示するステップと、
からなる方法。
【請求項２１】
信号測定システムにおいてグラフィカルユーザインタフェースを用いて自動測定を呼び出すシステムであって、
各測定アイコンが測定に関連付けられた複数の測定アイコンをグラフィカルユーザインタフェース上に表意するための測定ツールバーマネージャと、
ユーザが前記複数の測定アイコンのうちの選択された測定アイコンを図形的に移動させ、前記選択されたアイコンを前記グラフィカルユーザインタフェース上に表示されたソース波形に近接する位置に配置することが出来るようにするための波形識別器と、
前記ソース波形の測定範囲に対して前記選択された測定を呼び出すための測定コントローラと、
からなるシステム。
【請求項２２】
前記測定ツールバーマネージャは、
１以上の測定機能のうちのどの測定機能が前記１以上の測定アイコンのそれぞれに対応しているかを判定するための手段と、
前記グラフィカルユーザインタフェース上の前記１以上の測定アイコンのうちのどの測定アイコンにカーソルが存在するかを判定するための手段と、
を含む、請求項２１に記載のシステム。
【請求項２３】
波形測定機能がユーザによってグラフィカルユーザインタフェースの波形表示領域に表示された表示波形に関連付けられたときに、該波形測定機能を自動的に実施する測定呼出しシステムであって、
各測定アイコンが波形測定機能に対応する１以上の測定アイコンを前記グラフィカルユーザインタフェース上に表示するように構成された測定ツールバーマネージャと、
ユーザが前記選択されたアイコンをソース波形に近接する位置まで移動させ、前記選択された測定アイコンを前記ソース波形に図形的に関連付けることが出来るように構成された波形識別器と、
前記選択された測定アイコンと前記ソース波形との前記関連付けが有効な関連付けである場合に、前記ソース波形の測定範囲に対して前記選択された測定を呼び出すように構成された測定コントローラと、
からなる測定呼出しシステム。
【請求項２４】
前記１以上の測定アイコンは、前記グラフィカルユーザインタフェースの前記波形表示に隣接して配置された測定ツールバー領域の中に配置される、請求項２２に記載の測定呼出しシステム。
【請求項２５】
前記波形識別器は、前記選択された測定アイコンが前記波形表示領域上でドラッグされているときに該選択された測定アイコンの最も近くにある表示要素を判定する手段を含む、請求項２２に記載の測定呼出しシステム。